(57)【要約】【課題】出力結果とプレビューの差異を無くした画像処理システム、画像処理方法、及びプログラムを提供する。【解決手段】仕上がりイメージをプレビュー画像として表示し、読み込んだ画像及びプレビュー画像の両画像を透過画像にして重ね合わせ、両画像を重ね合わせる際に相対位置を任意に調整し、両画像の基準点を定め、基準点からのずらし量を調整量として検出し、プレビュー画像上の仕上げ処理イメージ部分の位置決めに補正データとして反映し、両画像を表示し、調整する。【選択図】図３
2014093588.tif 000002
【特許請求の範囲】
【請求項１】
仕上がりイメージをプレビュー画像として表示する第１の表示手段と、
読み込んだ画像及び前記プレビュー画像の両画像を透過画像にして重ね合わせる重ね合わせ手段と、
前記両画像を重ね合わせる際に相対位置を任意に調整できる調整手段と、
前記両画像の基準点を定める設定手段と、
前記基準点からのずらし量を、調整量として検出し、前記プレビュー画像上の仕上げ処理イメージ部分の位置決めに補正データとして反映する反映手段と、
前記両画像を表示する第２の表示手段と、
前記両画像を調整する調整手段と、
を備えたことを特徴とする画像処理システム。
【請求項２】
請求項１に記載の画像処理システムにおいて、
補正用の原稿を用いて、自動的に基準点を設定する設定手段を有することを特徴とした画像処理システム。
【請求項３】
請求項１に記載の画像処理システムにおいて、
前記読み込んだ画像の、所定の部分が白画素しかなかった場合には、アラート表示を行なう表示手段を有することを特徴とする画像処理システム。
【請求項４】
請求項１に記載の画像処理システムにおいて、
前記補正データを１操作で元に戻す復元手段を有することを特徴とする画像処理システム。
【請求項５】
請求項１に記載の画像処理システムにおいて、
前記補正データが、所定値よりも大きい場合には、前記補正データを使用しないようにしたことを特徴とする画像処理システム。
【請求項６】
請求項１に記載の画像処理システムにおいて、
前記補正データを反映するか否かをユーザーに確認するようにしたことを特徴とする画像処理システム。
【請求項７】
仕上がりイメージをプレビュー画像として表示し、
読み込んだ画像及び前記プレビュー画像の両画像を透過画像にして重ね合わせ、
前記両画像を重ね合わせる際に相対位置を任意に調整し、
前記両画像の基準点を定め、
前記基準点からのずらし量を、調整量として検出し、前記プレビュー画像上の仕上げ処理イメージ部分の位置決めに補正データとして反映し、
前記両画像を表示し、
前記両画像を調整することを特徴とする画像処理方法。
【請求項８】
画像処理システムのコンピュータに、
第１の表示手段が、仕上がりイメージをプレビュー画像として表示する手順、
重ね合わせ手段が、読み込んだ画像及び前記プレビュー画像の両画像を透過画像にして重ね合わせる手順、
調整手段が、前記両画像を重ね合わせる際に相対位置を任意に調整する手順、
設定手段が、前記両画像の基準点を定める手順、
反映手段が、前記基準点からのずらし量を、調整量として検出し、前記プレビュー画像上の仕上げ処理イメージ部分の位置決めに補正データとして反映する手順、
第２の表示手段が、前記両画像を表示する手順、
調整手段が、前記両画像を調整する手順、
を実行させることを特徴とするプログラム。
【発明の詳細な説明】
【技術分野】
【０００１】
本発明は、画像処理システム、画像処理方法、及びプログラムに関する。
【背景技術】
【０００２】
複合機において、印刷後の記録紙にパンチやステープルなどの仕上げを行なう機能がある場合、仕上がりイメージ、いわゆるプレビューを表示して、画像にパンチ穴やステープルが重なっていないか、などの確認を行なわせる技術が既に知られている（例えば、特許文献１参照。）。
【０００３】
特許文献１には、機械的な事情でずれが発生するケースも考慮したプレビュー画像をユーザーに提供し、ユーザーが正確な判断をできるようにする目的で、画像の位置を補正する手段と、その補正量を入力する手段と、その補正量に応じて表示位置をずらした画像の仕上がりイメージと、仕上がりイメージに影響を与える付加機能が使われたときのイメージとを合成して表示する手段とが開示されている。
【発明の概要】
【発明が解決しようとする課題】
【０００４】
しかしながら、特許文献１に記載の技術では、ハード的な誤差の要因などにより、出力結果とプレビューに、許容できないくらいの差異が見られる、という問題は解消できていない。
【０００５】
そこで、本発明の目的は、出力結果とプレビューの差異を無くした画像処理システム、画像処理方法、及びプログラムを提供することにある。
【課題を解決するための手段】
【０００６】
上記課題を解決するため、請求項１に記載の発明は、仕上がりイメージをプレビュー画像として表示する第１の表示手段と、読み込んだ画像及び前記プレビュー画像の両画像を透過画像にして重ね合わせる重ね合わせ手段と、前記両画像を重ね合わせる際に相対位置を任意に調整できる調整手段と、前記両画像の基準点を定める設定手段と、前記基準点からのずらし量を、調整量として検出し、前記プレビュー画像上の仕上げ処理イメージ部分の位置決めに補正データとして反映する反映手段と、前記両画像を表示する第２の表示手段と、前記両画像を調整する調整手段と、を備えたことを特徴とする。
【発明の効果】
【０００７】
本発明によれば、出力結果とプレビューの差異を無くした画像処理システム、画像処理方法、及びプログラムの提供を実現することができる。
【図面の簡単な説明】
【０００８】
【図１】画像形成装置としての複合機のブロック図の一例である。
【図２】図１に示した複合機を含む画像処理システムの一実施の形態を示すブロック図の一例である。
【図３】（ａ）は、プレビュー画像と出力結果スキャン画像とを重ね合わせるときのイメージ図の一例であり、（ｂ）は、（ａ）に示したパンチ穴のずれを示す説明図である。
【図４】透過画像を重ね合わせる方法を説明するためのフローチャートの一例である。
【図５】図１に示した複合機を含む画像処理システムの他の実施の形態を示すブロック図の一例である。
【図６】（ａ）は、プレビュー画像と出力結果スキャン画像とを重ね合わせるときのイメージ図の他の一例であり、図６（ｂ）〜（ｄ）は、画素数が大きい場合から画素数が小さい場合までの状態を示す図である。
【図７】出力結果スキャンに異常が生じた場合のアラートの一例である。
【図８】補正データを１操作でもとに戻す場合のフローチャートの一例である。
【図９】補正値があまりに大きいときには、補正しないようガードする場合のアラートの一例である。
【図１０】補正値を反映するか否かをユーザーに問う場合のアラートの一例である。
【発明を実施するための形態】
【０００９】
実施形態について図面を参照して説明する。
＜概  要＞
本発明は、パンチやステープルなどの仕上げを行なう際のプレビュー表示の処理に際し、出力されたものをスキャナで読み込んで、プレビュー画像との比較を行なうことで、誤差の検出を行なうことを含む。
【００１０】
＜実施形態１＞
実施形態１について述べる。
図１は、画像形成装置としての複合機のブロック図の一例である。
同図に示す複合機は、例えば、ＣＰＵ（Central Processing Unit）１、ＲＯＭ（Read-Only Memory）２、ＲＡＭ（Random-Access Memory）３、オペレーション・ポート（以下、オペポートと表記）４、スキャナ５、プロッタ６、網制御部７、モデム８、符号化・復号化部９、通信制御部１０、及びフィニッシャ１１を有し、これら各部はバス１２により接続されている。
【００１１】
ＣＰＵ１は、複合機１０１の全体を統括制御する機能を有するデバイスであり、例えばマイクロプロセッサが挙げられる。
ＣＰＵ１は、プレビュー画像作成部１ａ、携帯型端末との通信制御部１ｂ、及び補正データ計算部１ｃを有する。これら、プレビュー画像作成部１ａ、携帯型端末との通信制御部１ｂ、及び補正データ計算部１ｃは、ソフトウェアで構成されている。
プレビュー画像作成部１ａは、ユーザーがパンチやステープルの仕上がり処理を指定したときに、プレビュー画像を作成する機能を有する。このプレビュー画像作成部１ａは、ＣＰＵ１の制御によって実現されてもよい。
通信制御部１ｂは、複合機１０１と携帯型端末１０２との間の無線通信の制御を行う機能を有する。
補正データ計算部１ｃは、後述するΔＸ、ΔＹの値に基づいて、プレビュー画像上の仕上がり処理の位置の補正値を計算する機能を有する。
【００１２】
ＲＯＭ２は、制御の為のプログラムやデータ等を記憶するデバイスであり、例えばマスクＲＯＭが挙げられる。ＲＡＭ３は、制御に必要な種々のデータを記憶するデバイスであり、例えばＳＲＡＭ（Static RAM）やＤＲＡＭ（Dynamic RAM）が挙げられる。オペポート４は、オペレータによる操作を入力すると共に情報をオペレータに伝えるデバイスである。スキャナ５は、原稿読み取りを行なう装置である。プロッタ６は、コピーや原稿出力を行なう装置である。網制御部７は、通信回線の制御を行なう装置である。モデム８は、送信信号の変調や受信信号の復調を行なう装置である。符号化・復号化部９は、画情報を所定の符号化方式にしたがって符号化し、また、符号化された画情報を復合化する回路である。通信制御部１０は、通信相手との間で、通信手順を実行する回路である。フィニッシャ１１は、印刷された紙にパンチ穴を開けたり、ステープルを打って綴じたりする装置である。
【００１３】
図２は、図１に示した複合機を含む画像処理システムの一実施の形態を示すブロック図の一例である。
図２に示す画像処理システム１００−１は、複合機１０１と、携帯型端末１０２とが無線で接続されるシステムである。尚、本システム１００−１は、複合機１０１の通信制御部１０が無線送受信部を有する場合で説明するが、本発明は、これに限定されるものではなく、両者がモデムを有し、ネットワーク接続が可能な場合であってもよい。
【００１４】
複合機１０１は、通信制御部１０に接続されたアンテナ１３を介して携帯型端末１０２のアンテナ２０に電波を送受信するようになっている。
携帯型端末１０２は、例えば無線高周波部２１、ベースバンド部２５、スピーカ２６、及びマイクロフォン２７を有しているが、図示しないカメラを有しても良い。
無線高周波部２１は、送受信切替回路２２、受信部２３、及び送信部２４を有する。
ベースバンド部２５は、変調前の信号及び復調後の信号であるベースバンド信号を処理する回路であり、ＣＰＵ２８、ＤＳＰ（Digital Signal Processor）３０、モデム３１、及びＡＤＣ（Analog-Digital Converter）／ＤＡＣ（Digital-Analog Converter）３２を有する。
【００１５】
表示と入力処理部２７は、画像やユーザーＩ／Ｆ（Inter Face の表示を行なうデバイスである。具体的にはタッチパネルが挙げられる。
本体との通信制御部３６は、本体側との通信を制御する機能を有するデバイスであり、本体側で作成されたプレビュー画像を受け取るなどの処理を行なう。
ＣＰＵ２８は、携帯型端末１０２の全体を統括制御する機能を有するデバイスであり、例えばマイクロプロセッサが挙げられる。
ＣＰＵ２８は、ソフトウェアで構成された画像の重ね合わせ処理部２９を有する。画像の重ね合わせ処理部２９は、プレビュー画像と、読み取った画像とを透過させて重ね合わせる処理を行なう機能を有する。
【００１６】
ＤＳＰ３０は、ディジタル信号処理に特化したプロセッサであり、高速乗算機を有し、大量のデータを高速に演算処理する機能を有するデバイスである。
モデム３１は、送信信号の変調や受信信号の復調を行うデバイスである。
ＡＤＣ／ＤＡＣ３２は、アナログ信号をディジタル信号に変換したり、ディジタル信号をアナログ信号に変換したりするデバイスである。
タッチパネル３３は、画像のドラッグや拡大を行うためのデバイスであり、ユーザーが画像のドラッグや拡大を容易に行うことが可能である。
表示部３４は、文字情報や画像情報を表示するデバイスであり、例えば液晶表示素子が挙げられる。
【００１７】
図３（ａ）は、プレビュー画像と出力結果スキャン画像とを重ね合わせるときのイメージ図の一例であり、図３（ｂ）は、図３（ａ）に示したパンチ穴のずれを示す説明図である。
ユーザーは、プレビュー画像を表示させて、出力を実行したあと、出力されたものを同じ複合機のスキャナで読み込む。透過画像を重ね合わせる方法については、例えば、以下に示す方法が挙げられる。
【００１８】
図４は、透過画像を重ね合わせる方法を説明するためのフローチャートの一例である。
図４において、まず、最初の画素の比較を行う（Ｓ１）。表面画像の画素がありかなしかを判定し（Ｓ２）、表面画素がありの場合（Ｓ１／Ｙ）には表面画像の画素を採用する（Ｓ３）。画素の終端に到達したか否かを判定し（Ｓ４）、画素の終端に到達していない場合（Ｓ４／Ｙ）には次の画素の比較を行う（Ｓ５）。
【００１９】
次の画素の表面画像の画素がありかなしかを判定し（Ｓ２）、次の画素の表面画像の画素がなしの場合（Ｓ２／Ｙ）には裏面画像の画素がありかなしかを判定し（Ｓ６）、裏面画像の画素がありの場合（Ｓ６／Ｙ）には裏面画像の画素を採用する（Ｓ７）。画素の終端に到達したか否かを判定し（Ｓ４）、画素の終端に到達していない場合（Ｓ４／Ｎ）には次の画素の比較を行う（Ｓ５）。
【００２０】
次の画素の表面画像の画素がありかなしかを判定し（Ｓ２）、次の画素の表面画像の画素がなしの場合（Ｓ２／Ｎ）には裏面画像の画素がありかなしかを判定し（Ｓ６）、裏面画像の画素がなしの場合（Ｓ６／Ｎ）には画素なし（空）とする（Ｓ８）。これらの動作を画素の終端まで繰り返すことにより、透過画像を重ね合わせたときの状態が把握できる。
【００２１】
図３（ａ）に示すように、ユーザーは、プレビュー画像を画面上でドラッグすることで、出力結果スキャン画像に画像部分を重ね合わせる。このとき、プレビュー画像上のパンチ穴４０ａ、４０ｂの位置と、出力結果スキャン画像のパンチ穴４１ａ、４１ｂの位置とが多少ずれているとする。
ユーザーは、例えば、文字「Ｔ」４０ｃ、４１ｃが印刷された印刷済みの紙４０、４１に明けられたパンチ穴４０ａ、４０ｂ、４１ａ、４１ｂがずれた状態で、例えば、「基準点決定ボタン」を押すことで、現在、調整位置の横（X）と縦（Y）とが０であることを携帯型端末１０２に伝える。
【００２２】
次に、ユーザーは、携帯型端末１０２の表示部３４のプレビュー画像をドラッグし、パンチ位置を重ね合わせる。図３（ｂ）では、横方向にΔＸ、縦方向にΔＹだけずらすことで、完全に重ね合わすことができることを示している。
【００２３】
ここで、ユーザーは、たとえば「調整量決定ボタン」を押すことで、携帯型端末１０２に、調整量を伝える。
携帯型端末１０２は、ΔＸ、ΔＹが調整量であることを検出して、その時点以降、パンチ穴４０ａ、４１ａのプレビューを行なう際には、パンチ穴４０ａ、４１ａを表す画像の位置を、現在の位置よりも、ΔＸ、ΔＹずらして表示する。
【００２４】
パンチ穴４０ａ、４１ａの調整の際には、画像の拡大を行なえば、より正確な調整が可能となる。画像の拡大の仕方は、通常の携帯型端末で実現されている方法を使えばよい。
この方法は、印刷済みの紙４０、４１のパンチ以外にも、ステープルや、折などにも応用できる。
【００２５】
＜実施形態２＞
実施形態２について述べる。
図５は、図１に示した複合機を含む画像処理システムの他の実施の形態を示すブロック図の一例である。
図５に示した画像処理システム１００−２の図２に示した画像処理システム１００−１との相違点は、携帯型端末１０３が補正データ記憶部３５を有する点である。
ここで、図３（ａ）、（ｂ）は、調整し終わった後の補正データは、複合機１０１側に持つことを想定しているが、補正データ記憶部３５を携帯型端末１０３に持つようにしてもよい。このように構成することで、メモリの負荷分散が可能となる。
補正データ記憶部３５は、例えば、ＲＡＭもしくはフラッシュメモリが挙げられる。
【００２６】
＜実施形態３＞
実施形態３について述べる。
図６（ａ）は、プレビュー画像と出力結果スキャン画像とを重ね合わせるときのイメージ図の他の一例であり、図６（ｂ）〜（ｄ）は、画素数が大きい場合から画素数が小さい場合までの状態を示す図である。
図６（ａ）の下側の画像は、図６（ａ）の上側の二つの画像の点Ｐ１、Ｐ２を一致させた画像である。この状態から縦横方向に少しずつ増減してずらし、中央付近の画素数をカウントする。
【００２７】
図３（ａ）、（ｂ）では、基準点決定までを手作業で行なう方法を説明したが、自動で行なってもよい。
図６（ａ）〜（ｄ）は、基準点決定までを自動で行なう方法の説明図である。
基準点決定までを自動で行う場合には、自動調整用の原稿５０、５１を使用する。
自動調整用の原稿５０、５１のフォーマットは、複合機１０１にあって、所定の操作によって、印刷されるようにしておけばよい。この自動調整用の原稿は、例えばセンターに縦横１０ｍｍ程度の黒い正方形５０ｃ、５１ｃが印刷されているものとする。
【００２８】
ユーザーは、この自動調整用の原稿を使って、パンチ穴５０ａ、５０ｂ、５１ａ、５１ｂを形成したときのプレビュー画像を表示させ、その後、実際に出力した結果をスキャナで読み込む。
【００２９】
次にユーザーは、たとえば「基準点決定までの自動処理ボタン」を押す。
例えば、携帯型端末１０３は、プレビュー画像の左端Ｐ１と出力結果スキャン画像の左端Ｐ２とを合わせた画像を表示する。
次に、この左端同士を合わせた状態から縦横に、徐々にずらしたときの、センター付近の黒い正方形５０ｃ、５１ｃの数（画素数）をカウントする。例えば、１ｍｍ刻みで、縦：−２０ｍｍ〜＋２０ｍｍ、横：−２０ｍｍ〜＋２０ｍｍ。この範囲でずらすごとに、透過画像のセンターを囲む、縦横５０ｍｍの正方形内の、黒い画素の数をカウントする。
黒い画素の数が最も少なくなるところが、センターの黒い正方形５０ｃ、５１ｃが完全に重なっていることを示す。ここを、基準点と判断する。
このように構成しても実施形態１と同様の効果が得られる。
【００３０】
＜実施形態４＞
実施形態４について述べる。
図７は、出力結果スキャンに異常が生じた場合のアラートの一例である。
出力結果スキャンを行なったあと、パンチ穴の画像があるはずのところが、すべて白画素で埋め尽くされていた場合には、読み込んだものが間違っていると判断して図７に示すようなアラート表示を行なう。
パンチ穴の画像があるはずのところ、というのは、たとえば、パンチを左側に行なう、という指示があった場合には、読み込んだ画像の左端５０ｍｍの範囲内とすればよい。
【００３１】
＜実施形態５＞
実施形態５について述べる。
図８は、補正データを１操作でもとに戻す場合のフローチャートの一例である。
携帯型端末１０３の図示しない［補正データ  クリア］  ボタン押下を行うと（Ｓ１１）、補正データをクリアする（初期値に戻す：Ｓ１２）。
携帯型端末１０３に［補正データ  クリア］  ボタンを設け、このボタンがユーザーによって押されたら図３（ａ）、（ｂ）で説明した補正データをクリアする仕組みを設けることで実現できる。
【００３２】
＜実施形態６＞
実施形態６について述べる。
図９は、補正値があまりに大きいときには、補正しないようガードする場合のアラートの一例である。
補正値があまりに大きいと判断されたときには、反映しないよう、ガードする必要がある。その補正値の閾値は、例えば、２０ｍｍ、等予め固定で決めてもよく、ユーザーが任意に変更できるように携帯型端末１０３に表示するように構成してもよい。
【００３３】
＜実施形態７＞
実施形態７について述べる。
図１０は、補正値を反映するか否かをユーザーに問う場合のアラートの一例である。
補正値があまりに大きい場合に、反映するか否かをユーザーに選ばせるように携帯型端末１０３に表示するように構成してもよい。そのときに出すアラートの一例である。
【００３４】
＜プログラム＞
以上で説明した本発明にかかる画像処理システムは、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００３５】
例えば、
画像処理システムのコンピュータに、
第１の表示手段が、仕上がりイメージをプレビュー画像として表示する手順、
重ね合わせ手段が、読み込んだ画像及びプレビュー画像の両画像を透過画像にして重ね合わせる手順、
調整手段が、両画像を重ね合わせる際に相対位置を任意に調整する手順、
設定手段が、両画像の基準点を定める手順、
反映手段が、基準点からのずらし量を、調整量として検出し、プレビュー画像上の仕上げ処理イメージ部分の位置決めに補正データとして反映する手順、
第２の表示手段が、両画像を表示する手順、
調整手段が、両画像を調整する手順、
を実行させるプログラムが挙げられる。
【００３６】
ここで、画像処理システムのコンピュータとは、例えば、複合機１０１のＣＰＵ１が挙げられる。
【００３７】
これにより、プログラムが実行可能なコンピュータ環境さえあれば、どこにおいても本発明にかかる画像処理システムを実現することができる。
【００３８】
＜記憶媒体＞
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD-Recordable）などのコンピュータで読み取り可能な記憶媒体、フラッシュメモリ、ＲＡＭ（Random-Access Memory）、ＲＯＭ（Read-Only Memory）、ＦｅＲＡＭ（強誘電体メモリ）等の半導体メモリやＨＤＤ（Hard Disc Drive）が挙げられる。
【００３９】
＜作用効果＞
本実施形態によれば、出力されたものをスキャナで読み込んで、プレビュー画像との比較を行なうことで、誤差の検出を行なうので、出力結果とプレビューの差異を無くした画像処理システム、画像処理方法、及びプログラムの提供を実現することができる。
【００４０】
尚、本実施形態によれば、記憶領域の負荷を分散することができる。
本実施形態によれば、ユーザーの操作を減らすことができる。
本実施形態によれば、ユーザーの操作に誤りがあったときに、異常な補正値を反映させてしまうことを防ぐことができる。
本実施形態によれば、補正した後で、何らかの異常に気付いたときに、容易に初期値に戻すことができる。
本実施形態によれば、異常なデータを誤用することを防げることができる。
本実施形態によれば、ユーザーが補正を行ないたい場合にも対応できる柔軟性を高めることができる。
【００４１】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００４２】
１、２８    ＣＰＵ
１ａ    プレビュー画像作成部
１ｂ    携帯型端末との通信制御部
１ｃ    補正データ計算部
２    ＲＯＭ
３    ＲＡＭ
４    オペポート（オペレーション・ポート）
５    スキャナ
６    プロッタ
７    網制御部
８、３１    モデム
９    符号化・復号化部
１０    通信制御部
１１    フィニッシャ
１２    バス
１３、２０    アンテナ
２１    無線高周波部
２２    送受信切替部
２３    受信部
２４    送信部
２５    ベースバンド部
２６    スピーカ
２７    マイクロフォン
２９    画像の重ね合わせ処理部
３０    ＤＳＰ
３２    ＡＤＣ／ＤＡＣ
３３    タッチパネル
３４    表示部
３５    補正データ記憶部
３６    本体との通信制御部
４０、４１    印刷済みの紙
４０ａ、４０ｂ、４１ａ、４１ｂ    パンチ穴
１００−１、１００−２    画像処理システム
１０１    複合機
１０２、１０３    携帯型端末
【先行技術文献】
【特許文献】
【００４３】
【特許文献１】特開２００９−１２４６７６号公報
【図１】
2014093588.tif 000003
【図２】
2014093588.tif 000004
【図３】
2014093588.tif 000005
【図４】
2014093588.tif 000006
【図５】
2014093588.tif 000007
【図６】
2014093588.tif 000008
【図７】
2014093588.tif 000009
【図８】
2014093588.tif 000010
【図９】
2014093588.tif 000011
【図１０】
2014093588.tif 000012